(57)【要約】【課題】着用者の首と共に両腕も一緒に支えることができ、加えて着用者自身の操作力で首や肩に刺激を与えてマッサージ効果を得ることができる首クッションを提供する。【解決手段】クッション本体２の内部に組み込まれ内側湾曲部位２ａに対応するように形成される幅広の平紐状押出部１１ａを有する紐体１１および一対の腕差込孔５，５´の周囲を取り巻くようにクッション本体２の内部に組み込まれる一対の輪部１２，１２´よりなる非伸縮性の輪付紐体１０と、平紐状押出部１１ａに押し当て状態でクッション本体２の内側湾曲部位２ａに埋め込まれる押圧体１５とを備えてなるものし、一対の腕差込孔５，５´に両腕を差し込んでクッション本体２を引っ張ることにより、輪付紐体１０の平紐状押出部１１ａによって首に向けて押し出される押圧体１５で首を押圧するようにする。【選択図】図２
2017109038.tif 000002
【特許請求の範囲】
【請求項１】
首と共に両腕を支える首クッションであって、
首に掛けることが可能な逆Ｕの字形状で装着時に首に接触する内側湾曲部位を有するとともに装着時に首よりも下方に位置する両端部に両腕を差込可能な一対の腕差込孔を有するクッション本体と、
前記クッション本体の逆Ｕの字形状に沿うように前記クッション本体内部に組み込まれ前記内側湾曲部位に対応するように形成される幅広の平紐状押出部を有する紐体およびその紐体の両端に一体的に設けられて前記一対の腕差込孔の周囲を取り巻くようにクッション本体内部に組み込まれる一対の輪部よりなる非伸縮性の輪付紐体と、
前記平紐状押出部に押し当て状態で前記クッション本体の前記内側湾曲部位に埋め込まれ、首を押圧可能に突出する凸面を有する押圧体とを備え、
前記一対の腕差込孔に両腕を差し込んで前記クッション本体を引っ張ることにより、前記輪付紐体の前記平紐状押出部によって首に向けて押し出される前記押圧体で首を押圧するようにしたことを特徴とする首クッション。
【請求項２】
前記平紐状押出部に対し所定範囲で移動可能に前記押圧体を包み込む袋体を介して前記紐体に前記押圧体を取り付けることを特徴とする請求項１に記載の首クッション。
【発明の詳細な説明】
【技術分野】
【０００１】
本発明は、首を優しく支える首クッションに関し、特に、首と共に両腕も優しく支える首クッションに関するものである。
【背景技術】
【０００２】
従来、首を優しく支えるものとして首枕が使用されている。首枕は、首に掛けることが可能な逆Ｕの字形状で、内部に弾性材料が詰め込まれてなり、着用者の首根っことともに首の左右両側を優しく支えて、着用者が座席に座った状態でも楽に休息をとることができるように構成されている。
【０００３】
しかし、この種の首枕では、着用者の両腕を支えることができる別途の手段が備えられていないため、もっと楽に休息をとりたいというニーズに応えきれていないという課題が残っていた。
【０００４】
そのような課題を解決し得るものとして、内側に首を収容するＵ字形のネックピロー本体部と、このネックピロー本体部の向かい合う両端部から延設され、両腕を収容して支持するように形成される一対の肘掛け部とを備えてなる携帯用ネックピローが提案されている（特許文献１参照）。この携帯用ネックピローによれば、着用者の首がネックピロー本体部によって支えられ、着用者の両腕が一対の肘掛け部によって支えられるので、着用者の首と共に両腕も一緒に支えることができ、従来の首枕よりも楽に休息をとることができる。
【０００５】
しかしながら、上記特許文献１に係る携帯用ネックピローでは、首と共に両腕も一緒に支えることで着用者が従来の首枕よりも楽に休息をとることができるものの、得られる効果はそれだけであり、首や肩の凝りをほぐす等のマッサージ効果を得ることができないという問題点がある。
【０００６】
首や肩の凝りをほぐすことができるものとして、首に着用可能なマッサージ装置が提案されている（特許文献２参照）。この特許文献２に係るマッサージ装置は、首に掛けることが可能な本体の内部に、首や肩をマッサージするために使用される振動を生成するための内蔵ソレノイドを有する電動振動装置が埋め込まれて構成されている。
【０００７】
しかしながら、上記特許文献２に係るマッサージ装置では、電動振動装置を用いて首や肩をマッサージする構成であるため、製品コストが高く、しかも電動振動装置を駆動するための電力が必要なため、ランニングコストがかかるという問題点がある。
【先行技術文献】
【特許文献】
【０００８】
【特許文献１】実用新案登録第３１９０４１３号公報
【特許文献２】韓国登録特許第１０−０８８７７０４号公報
【発明の概要】
【発明が解決しようとする課題】
【０００９】
本発明は、前述のような問題点に鑑みてなされたもので、着用者の首と共に両腕も一緒に支えることができ、加えて着用者自身の操作力で首に刺激を与えてマッサージ効果を得ることができる首クッションを提供することを目的とするものである。
【課題を解決するための手段】
【００１０】
前記目的を達成するために、本発明による首クッションは、
首と共に両腕を支える首クッションであって、
首に掛けることが可能な逆Ｕの字形状で装着時に首に接触する内側湾曲部位を有するとともに装着時に首よりも下方に位置する両端部に両腕を差込可能な一対の腕差込孔を有するクッション本体と、
前記クッション本体の逆Ｕの字形状に沿うように前記クッション本体内部に組み込まれ前記内側湾曲部位に対応するように形成される幅広の平紐状押出部を有する紐体およびその紐体の両端に一体的に設けられて前記一対の腕差込孔の周囲を取り巻くようにクッション本体内部に組み込まれる一対の輪部よりなる非伸縮性の輪付紐体と、
前記平紐状押出部に押し当て状態で前記クッション本体の前記内側湾曲部位に埋め込まれ、首を押圧可能に突出する凸面を有する押圧体とを備え、
前記一対の腕差込孔に両腕を差し込んで前記クッション本体を引っ張ることにより、前記輪付紐体の前記平紐状押出部によって首に向けて押し出される前記押圧体で首を押圧するようにしたことを特徴とするものである（第１発明）。
【００１１】
本発明において、前記平紐状押出部に対し所定範囲で移動可能に前記押圧体を包み込む袋体を介して前記紐体に前記押圧体を取り付けるのが好ましい（第２発明）。
【発明の効果】
【００１２】
本発明においては、逆Ｕの字形状に形成されたクッション本体の内側湾曲部位を首の後部に宛がうようにクッション本体を首に掛けて装着し、クッション本体に設けられた一対の腕差込孔に両腕を差し込んでクッション本体に預け置くようにして使用される。これより、着用者の首と共に両腕も一緒に支えることができる。
また、上記の使用形態において、着用者が両腕を下方に引き下げてクッション本体を引き伸ばすように引っ張ると、クッション本体に内蔵された輪付紐体の平紐状押出部によって首に向けて押し出される押圧体で首が押圧されるので、着用者自身の操作力で首に刺激を与えてマッサージ効果を得ることができる。
なお、押圧体は幅広の平紐状押出部によって首に向けて押し出される構成とされているので、紐体に作用した引張力を押出力として確実に押圧体に作用させることができる。
【００１３】
また、平紐状押出部に対し所定範囲で移動可能に押圧体を包み込む袋体を介して紐体に押圧体を取り付けることにより、着用者の首の大きさや形に応じて押圧体の位置を調整することができるので、マッサージ効果をより確実に得ることができるとともに、首周辺の肩部分に対しても押圧体で押圧することができるので、首のみならず肩へも刺激を与えることができる。
【図面の簡単な説明】
【００１４】
【図１】本発明の一実施形態に係る首クッションを装着した通常の使用形態の説明図である。
【図２】同首クッションの正面図である。
【図３】輪付紐体と押圧体との取付構造を示す図で、（ａ）は袋体を破断して表わす正面図、（ｂ）は（ａ）のＡ矢視図である。
【図４】同首クッションの他の使用形態の説明図である。
【発明を実施するための形態】
【００１５】
次に、本発明による首クッションの具体的な実施の形態について、図面を参照しつつ説明する。
【００１６】
＜首クッションの概略説明＞
図１に示される首クッション１は、人肌に触れて優しい表生地とソファや椅子等に対し滑り難い裏生地とを組み合わせてなる袋状物の内部に、例えばポリエステル綿等の弾性材料が詰め込まれてなるクッション本体２を備え、このクッション本体２によって首と共に両腕も優しく支えることができるように構成されている。
【００１７】
＜クッション本体の説明＞
図２に示されるように、クッション本体２は、首に掛けることが可能な逆Ｕの字形状で装着時に首に接触する内側湾曲部位２ａを有して首を支える首支持部３と、この首支持部３の向かい合う両端部から延設され、両腕が差し込み可能な一対の腕差込孔５，５´を有して両腕を支持する一対の腕支持部４，４´とを有している。
クッション本体２の両端部に設けられた一対の腕差込孔５，５´は、当該クッション本体２を首に装着したときに首よりも下方に配され、肘を約９０°程度曲げた状態で手首から肘の間の部分を容易に差し込むことができる高さ位置に設定されている。
クッション本体２における首支持部３の中央には、頭を置いたときに後頭部の座りを良くするための窪み部６が設けられるとともに、窪み部６の中心部分に通気性をよくするための丸孔７が設けられている。
【００１８】
＜輪付紐体の説明＞
クッション本体２の内部には、例えばアクリル、ポリエステル、コットン等の繊維で織られた所定厚み・長さ寸法の帯状で比較的幅広の平紐や綾テープ等からなる非伸縮性の輪付紐体１０が内蔵されている。
輪付紐体１０は、クッション本体２の逆Ｕの字形状に沿うようにクッション本体２の内部に組み込まれ内側湾曲部位２ａに対応するように形成される平紐状押出部１１ａを有する紐体１１と、紐体１１の両端に一体的に設けられて一対の腕差込孔５，５´の周囲を取り巻くようにクッション本体２の内部に組み込まれる一対の輪部１２，１２´とにより構成されている。
なお、本実施形態では、輪付紐体１０の全部を平紐や綾テープ等で構成する態様例を示したが、これに限定されるものではなく、平紐状押出部１１ａと一対の輪部１２，１２´とだけを平紐や綾テープ等で構成し、紐体１１における平紐状押出部１１ａ以外の部分は線状の紐で構成する態様例や、平紐状押出部１１ａだけを平紐や綾テープ等で構成し、紐体１１における平紐状押出部１１ａ以外の部分と一対の輪部１２，１２´は線状の紐で構成する態様例もあり得る。
【００１９】
ここで、輪付紐体１０においては、その一部、具体的には平紐状押出部１１ａと輪部１２，１２´とが、クッション本体２に縫合等の固定手段で固定され、クッション本体２に対する輪付紐体１０の位置ずれを確実に防ぐようにしている。
なお、輪付紐体１０における平紐状押出部１１ａと輪部１２，１２´以外の部位は、クッション本体２に対し縫合等の固定手段で固定されずにフリーな状態にされている。こうして、一対の腕差込孔５，５´に両腕を差し込んでクッション本体２を引っ張ることで輪付紐体１０を引っ張ったときには、後述する押圧体１５を首に向けて押し出す力が平紐状押出部１１ａから押圧体１５に効果的に作用するようにするとともに、輪付紐体１０を引っ張らない通常のクッションとして使用する際にはクッション本体２が本来有する伸縮性を損なわないようにしてクッションとしての風合いを確保するようにしている。
【００２０】
＜押圧体の説明＞
クッション本体２の内側湾曲部位２ａには、複数（本例では２個）の球状の押圧体１５が頸椎の両側の首筋部分や両肩を押圧可能に左右に所定間隔を設けて埋め込まれている。押圧体１５としては、例えば、硬質樹脂等からなる中空または中実の剛性ボールや、ゴムや軟質樹脂、発泡樹脂等からなる中空または中実の弾性ボールなどが好適に用いられる。
ここで、クッション本体２の内側湾曲部位２ａから一対の腕差込孔５，５´に向かう一側方向に臨ませた押圧体１５の一側半分の半球面が、首または肩を押圧可能に突出する丸みを持った凸面を構成し、押圧体１５の他側半分の半球面が、平紐状押出部１１ａに接触し一対の輪部１２，１２´を介して紐体１１に作用した引張力を受ける力受面を構成する。
【００２１】
押圧体１５として、球状のものを用いた例を示したが、これに限定されるものではなく、半球状のものを用いてよい。また、押圧体１５の一側半分の形状としては、例えば、所定幅の前凸の円弧面を有する断面半円の蒲鉾状や、一端部分に丸みを持たせたコーン状（円錐形状）、一端部分に丸みを持たせた四角錐状などとすることができ、押圧体１５の他側半分の形状としては、例えば、円柱状や四角柱状、円錐台状、四角錐台状などとすることができ、ここで列挙した押圧体１５の一側半分の形状と他側半分の形状とを適宜に組み合わせて押圧体１５の形状を任意に定めることができる。
【００２２】
押圧体１５は、首または肩を押圧可能とするためにその一側半分の半球面をクッション本体２の内側湾曲部位２ａから一対の腕差込孔５，５´に向かう一側方向に臨ませ、紐体１１に作用した引張力を受けるためにその他側半分の半球面を他側方向に臨ませて平紐状押出部１１ａに押し当て状態でクッション本体２に埋め込まれている。こうして、押圧体１５は幅広の平紐状押出部１１ａによって首に向けて押し出される構成とされているので、紐体１１に作用した引張力を押出力として確実に押圧体１５に作用させることができる。
【００２３】
＜袋体の説明＞
図３（ａ）に示されるように、２つの押圧体１５は、平紐状押出部１１ａの長さ方向および幅方向、言い換えれば首の左右方向および上下方向に所定範囲で移動可能に包み込む袋体１６を介して紐体１１に取り付けられている。袋体１６は、例えば、合成繊維製の布で２つの押圧体１５を包み込み、該布を紐体１１に縫着して形成される。
２つの押圧体１５の袋体１６内での個々の移動範囲を規制する手段としては、例えば、袋体１６における２つの押圧体１５の中間位置に相当する部位を縫合して２つの収容室を区画形成し、各収容室に１つずつ押圧体１５を所定範囲で移動可能に収容するというものが挙げられる。その他の手段としては、袋体１６における２つの押圧１５体の中間位置に相当する部位を絞るように縫合する、あるいは紐等で絞るなどというものが挙げられる。
なお、袋体１６の素材としては、合成繊維製の布以外に、軟質のものであれば絹、木綿等の各種繊維からなる布や、革、合成皮革等の使用が可能である。
【００２４】
＜作用効果の説明＞
以上に述べたように構成される首クッション１においては、図１に示されるように、ソファ２０でくつろいだ姿勢で、逆Ｕの字形状に形成されたクッション本体２の内側湾曲部位２ａ（図２参照）を首の後部に宛がうようにクッション本体２を首に掛けて装着し、右側の腕支持部４に設けられた腕差込孔５に右腕の手首から肘の間の部分を通してクッション本体２に預け置くとともに、左側の腕支持部４´に設けられた腕差込孔５´に左腕の手首から肘の間の部分を通してクッション本体２に預け置くようにして使用される。これにより、ソファ２０の背凭れ部分と着用者２１の首との間に介在されたクッション本体２の首支持部３によって頭部および首が支えられるとともに、着用者２１の両腕がクッション本体２の一対の腕支持部４，４´によって支えられるので、着用者２１の首等と共に両腕も一緒に支えることができる。
【００２５】
上記の使用形態において、図１中白抜き矢印で示されるように、着用者２１が両腕を下方に引き下げてクッション本体２を引き伸ばすように引っ張ると、クッション本体２に内蔵された輪付紐体１０の平紐状押出部１１ａによって図３（ａ）に示されるように首２１ａに向けて押し出される押圧体１５で首２１ａが押圧されるので、着用者２１自身の操作力で首２１ａに刺激を与えてマッサージ効果を得ることができる。
また、平紐状押出部１１ａの長さ方向および幅方向、言い換えれば首の左右方向および上下方向に所定範囲で移動可能に押圧体１５を包み込む袋体１６（図３参照）を介して紐体１１に押圧体１５が取り付けられているので、着用者２１の首２１ａの大きさや形、経穴（つぼ）の位置などに応じて押圧体１５の位置を上下左右に調整することができてマッサージ効果をより確実に得ることができるとともに、首２１ａ周辺の両肩部分に対しても押圧体１５で押圧することができて首２１ａのみならず肩へも刺激を与えることができる。
【００２６】
本実施形態の首クッション１は、上記の使用形態以外に図４（ａ）〜（ｆ）に示される６つの使用形態がある。
【００２７】
図４（ａ）に示される使用形態は、ソファ２０でくつろいだ姿勢で、クッション本体２の内側湾曲部位２ａ（図２参照）を首の後部や両肩に宛がうようにクッション本体２を首に掛けて装着するところまでは図１に示される使用形態と同じであるが、そこから、右側の腕支持部４に設けられた腕差込孔５に左腕の手首部分を差し込んで引っ掛け、左側の腕支持部４´に設けられた腕差込孔５´に右腕の手首部分を差し込んで引っ掛け、図４（ａ）の例では、左側の腕支持部４´の上に右側の腕支持部４が載るように一対の腕支持部４，４´を交差させた状態で、図４（ａ）中白抜き矢印で示されるように、着用者２１が両腕を下方に引き下げてクッション本体２を引き伸ばすような力を作用させるというものである。これにより、２つの押圧体１５によって首や首周辺の両肩部分が首の中心に向かって押され、着用者２１自身の操作力で首や両肩に対し、図１に示される使用形態とは異なる角度からの刺激を与えることができる。
【００２８】
図４（ｂ）に示される使用形態は、ソファ２０でくつろいだ姿勢で、クッション本体２の内側湾曲部位２ａ（図２参照）を腰に宛がうようにクッション本体２を腰に掛けて装着し、右側の腕支持部４に設けられた腕差込孔５に右腕の手を掛けるとともに、左側の腕支持部４´に設けられた腕差込孔５´に左腕の手を掛け、クッション本体２における首支持部３をソファ２０の背凭れ部分に押し当てた状態で、図４（ｂ）中白抜き矢印で示されるように、着用者２１が両腕を前方に押し出してクッション本体２を引き伸ばすような力を作用させるというものである。これにより、２つの押圧体１５によって背骨の両側の腰部分が押圧され、着用者２１自身の操作力で腰に刺激を与えてマッサージ効果を得ることができる。
【００２９】
図４（ｃ）に示される使用形態は、床上に首クッション１を平面視で逆Ｕの字形状を呈するように置き、クッション本体２の内側湾曲部位２ａ（図２参照）に首の後部や首周辺の両肩部分が当たるように頭部を首支持部３上に載せるとともに、両腕の両肘から両肩までの部位を一対の腕支持部４，４´上に載せるように、首クッション１上に仰向けに寝転ぶというものである。これにより、２つの押圧体１５上に首や首周辺の両肩部分を載せた際の反作用力で首や首周辺の両肩部分が押圧され、着用者２１自身の体の重みで首や首周辺の両肩部分に刺激を与えてマッサージ効果を得ることができる。
【００３０】
図４（ｄ）に示される使用形態は、床上に首クッション１を平面視でＵの字形状を呈するように置き、クッション本体２の内側湾曲部位２ａ（図２参照）に腰が当たるようにお尻と腰の間の部分を首支持部３上に載せるとともに、両腕の両肘から両肩までの部位を一対の腕支持部４，４´上に載せるように、首クッション１上に仰向けに寝転ぶというものである。これにより、２つの押圧体１５上に腰を載せた際の反作用力で背骨の両側の腰部分が押圧され、着用者２１自身の体の重みで腰に刺激を与えてマッサージ効果を得ることができる。
【００３１】
図４（ｅ）に示される使用形態は、図４（ｂ）に示される使用形態と類似した使用形態に係るものであって、図４（ｂ）に示される使用形態がソファ２０でくつろいだ姿勢で使用されるのに対し、図４（ｅ）に示される使用形態は、起立した姿勢で使用されるものであり、加えて、両腕をぐるぐる回すことにより、腰をより効果的に刺激することができる。
【００３２】
図４（ｆ）に示される使用形態は、椅子２２の座部上に首クッション１の首支持部３を置き、椅子２２の背凭れ部分に一対の腕支持部４，４´を互いの端部同士を重ね合わせるようにして宛がい、クッション本体２の内側湾曲部位２ａ（図２参照）にお尻が当たるように載せ、背中を一対の腕支持部４，４´を介して椅子２２の背凭れ部分に凭れるようにして椅子２２に座るというものである。これにより、２つの押圧体１５上にお尻を載せた際の反作用力でお尻が押圧され、着用者２１自身の体の重みでお尻に刺激を与えてマッサージ効果を得ることができる。
【００３３】
以上、本発明の首クッションについて、一実施形態に基づいて説明したが、本発明は上記実施形態に記載した構成に限定されるものではなく、その趣旨を逸脱しない範囲において適宜その構成を変更することができるものである。
【産業上の利用可能性】
【００３４】
本発明の首クッションは、着用者の首と共に両腕も一緒に支えることができ、加えて着用者自身の操作力で首に刺激を与えてマッサージ効果を得ることができるという特性を有していることから、首枕の用途に好適に用いることができるのは勿論、アームレストとしての用途に加えて手動式の首等のマッサージ器としての用途にも用いることができ、産業上の利用可能性が大である。
【符号の説明】
【００３５】
１            首クッション
２            クッション本体
３            首支持部
４，４´      腕支持部
５，５´      一対の腕差込孔
１０          輪付紐体
１１          紐体
１１ａ        平紐状押出部
１２          輪部
１５          押圧体
１６          袋体
【図１】
2017109038.tif 000003
【図２】
2017109038.tif 000004
【図３】
2017109038.tif 000005
【図４】
2017109038.tif 000006